(57)【要約】【課題】ハードディスクの動作が安定化するまでは、半導体メモリ処理信号が記録される。ハードディスクが安定した後、半導体メモリの処理信号がハードディスクに記録されるようにする。【解決手段】信号処理部と、半導体メモリと、ハードディスク（ＨＤＤ）を操作入力に応じて省エネ設定状態又は省エネを設定しない状態のいずれかに設定する設定手段と、所定の指令信号が与えられたとき、前記省エネ設定状態であった場合は、半導体メモリ前記処理信号を記録し、ＨＤＤの準備を開始し、この準備が完了したときに前記半導体メモリに記録されている信号を読み出し前記ＨＤＤに転送し、前記指令信号が与えられたときに前記省エネを設定しない状態であった場合は、前記ＨＤＤに処理信号を記録し、ＨＤＤに前記処理信号が記録されているときに、前記指令信号が与えられたときは、前記記録を続行しながら追っかけ再生を実行する。【選択図】図１
2010198725.tif 000002
【特許請求の範囲】
【請求項１】
復調した処理信号を出力する信号処理部と、
静的な第１の記録媒体と、
駆動装置により駆動される動的な第２の記録媒体と、
操作入力に応じて、前記駆動装置を制御し前記第２の記録媒体を省エネルギーモード設定状態又は省エネルギーモードを設定しない状態のいずれかに設定する設定手段と、
前記処理信号の一時保存用の指令信号が与えられたときに前記省エネルギーモード設定状態であった場合は、前記第１の記録媒体に前記処理信号を記録すると共に、前記駆動装置を起動し前記第２の記録媒体の準備を開始し、この準備が完了したときに前記第１の記録媒体に記録されている信号を読み出し前記第２の記録媒体に転送し、
前記処理信号の一時保存用の指令信号が与えられたときに前記省エネルギーモードを設定しない状態であった場合は、前記第２の記録媒体に前記処理信号を記録し、
前記第２の記録媒体に前記処理信号が記録されているときに、前記指令信号が与えられたときは、前記記録を続行しながら追っかけ再生を実行する制御手段と
を有したことを特徴とする映像表示装置。
【請求項２】
前記第１の記録媒体は、半導体メモリであり、前記第２の記録媒体はハードディスクである請求項１記載の映像表示装置。
【請求項３】
前記処理信号の一時保存用の指令信号が与えられたとき、前記制御部の制御で前記省エネルギーモード設定に関するコメントを表示することを特徴とする請求項２記載の映像表示装置。
【請求項４】
前記設定手段は、前記第２の記録媒体をデフォルトとして省エネルギーモードを設定しない状態に設定し、前記省エネルギーモード設定状態に設定する場合、リモートコントローラの省エネルギー設定キーからの信号に応じて設定することを特徴とする請求項１記載の映像表示装置。
【請求項５】
復調した処理信号を出力する信号処理部と、
静的な第１の記録媒体と、
駆動装置により駆動される動的な第２の記録媒体と、
操作入力に応じて、前記駆動装置を制御し前記第２の記録媒体を省エネルギーモード設定状態又は省エネルギーモードを設定しない状態のいずれかに設定する設定手段と、
前記省エネルギーモードが設定され、かつ、前記第２の記録媒体の駆動装置に所定時間のアクセスがないときは、上記前記第２の記録媒体の駆動装置を前記省エネルギーモード設定状態に設定する省エネルギーモード設定部と、
前記処理信号の一時保存用の指令信号が与えられたときに前記省エネルギーモード設定状態であった場合は、前記第１の記録媒体に前記処理信号を記録すると共に、前記駆動装置を起動し前記第２の記録媒体の準備を開始し、この準備が完了したときに前記第１の記録媒体に記録されている信号を読み出し前記第２の記録媒体に転送し、
前記処理信号の一時保存用の指令信号が与えられたときに前記省エネルギーモードを設定しない状態であった場合は、前記第２の記録媒体に前記処理信号を記録し、
前記第２の記録媒体に前記処理信号が記録されているときに、前記指令信号が与えられたときは、前記記録を続行しながら追っかけ再生を実行する制御手段と
を有したことを特徴とする映像表示装置。
【請求項６】
前記処理信号の一時保存用の指令信号が与えられたとき、前記制御部の制御で前記省エネルギーモードに設定するためのコメントを表示することを特徴とする請求項５記載の映像表示装置。
【請求項７】
復調した処理信号を出力する信号処理部と、静的な第１の記録媒体と、駆動装置により駆動される動的な第２の記録媒体と、動作を統括する制御部を有し、前記第１及び第２の記録媒体に対する前記処理信号の記録及び再生を前記制御部により制御する記録媒体の記録再生制御方法において、
操作入力に応じて、前記駆動装置を制御し前記第２の記録媒体を省エネルギーモード設定状態又は省エネルギーモードを設定しない状態のいずれかに設定し、
前記省エネルギーモードが設定され、かつ、前記第２の記録媒体の駆動装置に所定時間のアクセスがないときは、上記前記第２の記録媒体の駆動装置を前記省エネルギーモード設定状態に設定し、
前記処理信号の一時保存用の指令信号が与えられたときに前記省エネルギーモード設定状態であった場合は、前記第１の記録媒体に前記処理信号を記録すると共に、前記駆動装置を起動し前記第２の記録媒体の準備を開始し、この準備が完了したときに前記第１の記録媒体に記録されている信号を読み出し前記第２の記録媒体に転送し、
前記処理信号の一時保存用の指令信号が与えられたときに前記省エネルギーモードを設定しない状態であった場合は、前記第２の記録媒体に前記処理信号を記録し、
前記第２の記録媒体に前記処理信号が記録されているときに、前記指令信号が与えられたときは、前記記録を続行しながら追っかけ再生を実行する
ことを特徴とする記録媒体の記録再生制御方法。
【請求項８】
前記処理信号の一時保存用の指令信号が与えられたとき、前記制御部の制御で前記省エネルギーモードに設定するためのコメントを表示することを特徴とする請求項７記載の記録媒体の記録再生制御方法。
【発明の詳細な説明】
【技術分野】
【０００１】
この発明は、映像表示装置とその記録媒体の記録再生制御方法に関するものであり、例えば省エネルギー対策のために節電機能を装備する装置及び方法に有効である。
【背景技術】
【０００２】
近年、記録媒体としてのハードディスク、光ディスクなどの情報記録媒体は、その記憶容量が増大している。このために、これらの媒体を利用した記録再生装置を例えばテレビジョン受信機に接続あるいは内蔵し、所望の番組を記録媒体に自動録画する方法及び装置がある。勿論、チューナ及びハードディスク装置（ＨＤＤ）を内蔵して、番組などを録画する専用の記録再生装置も開発されている。専用の記録再生装置が使用されるときは、テレビジョン受信機の表示器は、モニタとして利用される。
【０００３】
一方では、近年は省エネルギー対策が社会的に要望されている。これに呼応して、ハードディスク装置を備えた装置において、省電力化及び使い勝手の向上を図れるようにした装置が開発されている（例えば特許文献１）。この装置では、ハードディスク装置を備えた装置（例えばパーソナルコンピュータ、モニタ）の使用状態、未使用状態を監視し、使用状態にあるときと、未使用状態にあるときで、ディスクモータの自動停止までの期間を可変できるようにしている。使用状態にあるときは自動停止までの期間を長く、未使用状態にあるときは自動停止までの期間を短くする。
【０００４】
また消費電力を低減するための装置として、特許文献２に記載された技術がある。ハードディスク装置からバッファメモリにデータを高速で転送し、バッファメモリからデータを読み出すときはそれよりも低速で読み出され再生される。したがって、ハードディスク装置には時間的に余裕が生じるが、この余裕期間は、ハードディスク装置をスリープ状態にし、消費電力を低減するというものである。
【０００５】
また消費電力を低減するための装置として、特許文献３に記載された技術がある。この装置では、ディスクアレイを有し、省エネルギー状態では、最小限のハードディスクを待機状態に設定するものである。
【先行技術文献】
【特許文献】
【０００６】
【特許文献１】特開平０９−２３４７６３号公報
【特許文献２】特開２００４−０８７０５２公報
【特許文献３】特開２００４−２５２５７０公報
【発明の概要】
【発明が解決しようとする課題】
【０００７】
上記したように、ハードディスク装置を有する装置において、省エネルギー対策が図られており、多くはハードディスク装置を停止させる方向で装置の工夫がなされている。しかしながら、ハードディスク装置を停止させるが故に、ハードディスク装置を再起動するときの不具合については注意が必要である。即ち、ハードディスク装置が動作開始して、正常な運転状態になるまでには、数十秒必要とする場合がある。このために、情報の記録を開始するための操作が行われたとしても、ハードディスクへの記録が即座に可能とはならず、重要な情報或いはシーンの記録ミスを生じることが考えられる。
【０００８】
そこで、この発明の一実施の形態では、情報の記録開始の指令と同時に安定した情報保存（記録）を行い、ハードディスクへは記録開始の指令が行われた以降の情報が確実に記録されるようにした映像表示装置と記録メディアの制御方法を提供することを目的とする。
【課題を解決するための手段】
【０００９】
この発明の一実施形態では上記の目的を達成するために、
復調した処理信号を出力する信号処理部と、
静的な第１の記録媒体と、
駆動装置により駆動される動的な第２の記録媒体と、
操作入力に応じて、前記駆動装置を制御し前記第２の記録媒体を省エネルギーモード設定状態又は省エネルギーモードを設定しない状態のいずれかに設定する設定手段と、
前記処理信号の一時保存用の指令信号が与えられたときに前記省エネルギーモード設定状態であった場合は、前記第１の記録媒体に前記処理信号を記録すると共に、前記駆動装置を起動し前記第２の記録媒体の準備を開始し、この準備が完了したときに前記第１の記録媒体に記録されている信号を読み出し前記第２の記録媒体に転送し、
前記処理信号の一時保存用の指令信号が与えられたときに前記省エネルギーモードを設定しない状態であった場合は、前記第２の記録媒体に前記処理信号を記録し、
前記第２の記録媒体に前記処理信号が記録されているときに、前記指令信号が与えられたときは、前記記録を続行しながら追っかけ再生を実行する制御手段とを有する。
【発明の効果】
【００１０】
上記の手段によると、駆動装置が第２の記録媒体を駆動しその動作が安定化するまでは、第１の記録媒体に処理信号が記録される。そして第２の記録媒体が安定した後、第１の記録媒体を介して処理信号が記録されるようになる。よって、第２の記録媒体には、記録開始の指令が行われた以降の情報が確実に記録される。また第２の記録媒体に前記処理信号が記録されているときに、所定の指令信号が与えられたときは、前記記録を続行しながら追っかけ再生を実行する。
【図面の簡単な説明】
【００１１】
【図１】この発明の実施の形態を示すもので、テレビジョン放送受信装置を説明するために示す外観図である。
【図２】同実施の形態におけるテレビジョン放送受信装置の信号処理系を説明するために示すブロック構成図である。
【図３】この発明の装置で使用されるリモートコントローラの概観説明図である。
【図４】この発明の要部の動作を説明するために示したフローチャートである。
【図５】この発明の要部の構成ブロックを取り出して示す図である。
【図６】この発明に係るテレビジョン放送受信装置の信号処理系の他の例を説明するために示すブロック構成図である。
【発明を実施するための形態】
【００１２】
以下、本発明の実施の形態について、詳細に説明する。
【実施例１】
【００１３】
以下この発明の実施の形態を図面を参照して詳細に説明する。まずこの発明が適用された放送受信装置について概要を説明する。
【００１４】
図１は、この実施の形態で説明するテレビジョン放送受信装置１１の正面側の外観を示している。すなわち、このテレビジョン放送受信装置１１は、主として、装置本体となるほぼ四角形状に形成された薄型のキャビネット１２と、このキャビネット１２を起立させて支持するスタンド１３とから構成されている。
【００１５】
上記キャビネット１２には、その正面に、例えば平面型液晶表示パネル等でなる映像表示器１４の表示画面１４ａが露出されるとともに、一対のスピーカ１５、操作部１６、後述するリモートコントローラ（図１では図示せず）１７から送信される操作情報を受けるための受光部１８等が配置されている。
【００１６】
また、上記スタンド１３は、ほぼ薄型の箱状に形成されており、その一方の平面である底面板１３ａを、水平に設置された所定の基台（図示せず）上に載置するように構成されている。そして、このスタンド１３は、上記基台上に載置される面と反対側の面である上面板１３ｂのほぼ中央部から上方に突出する支持部材１９が、上記キャビネット１２の背面に連結されることにより、キャビネット１２を起立させた状態で支持している。
【００１７】
ここで、上記スタンド１３は、その内部に後述するＨＤＤユニット（図１では図示せず）２０を収容可能となされている。そして、このスタンド１３の上面板１３ｂには、キャビネット１２よりも正面側にせり出している部分に、ＨＤＤユニット２０を記録、再生、停止状態等に制御するための、押圧操作可能な複数（図示の場合は４つ）の操作子２１が配置されている。
【００１８】
図２は、上記テレビジョン放送受信装置１１の信号処理系を概略的に示している。この信号処理系を構成する各種の回路ブロックは、主として、上記キャビネット１２の内部で背面に近い位置、つまり、上記映像表示器１４の表示画面１４ａの裏側あたりに配置されている。
【００１９】
そして、デジタルテレビジョン放送受信用のアンテナ２２で受信したデジタルテレビジョン放送信号は、入力端子２３を介してチューナ部２４に供給される。このチューナ部２４は、入力されたデジタルテレビジョン放送信号から所望のチャンネルの信号を選局し復調している。そして、このチューナ部２４から出力された信号は、デコーダ部２５に供給されて、例えばＭＰＥＧ（moving picture experts group）２デコード処理が施された後、セレクタ２６に供給される。
【００２０】
さらに、アナログテレビジョン放送受信用のアンテナ２７で受信したアナログテレビジョン放送信号は、入力端子２８を介してチューナ部２９に供給される。このチューナ部２９は、入力されたアナログテレビジョン放送信号から所望のチャンネルの信号を選局し復調している。そして、このチューナ部２９から出力された信号は、Ａ／Ｄ（analog／digital）変換部３０によりデジタル化された後、上記セレクタ２６に出力される。
【００２１】
また、アナログ信号用の入力端子３１に供給されたアナログの映像及び音声信号は、Ａ／Ｄ変換部３２に供給されてデジタル化された後、上記セレクタ２６に出力される。さらに、デジタル信号用の入力端子３３に供給されたデジタルの映像及び音声信号は、そのまま上記セレクタ２６に供給される。
【００２２】
上記セレクタ２６は、４種類の入力デジタル映像及び音声信号から１つを選択して、信号処理部３４に供給している。この信号処理部３４は、入力されたデジタル映像信号に所定の信号処理を施して上記映像表示器１４での映像表示に供させている。この映像表示部１４としては、例えば、液晶ディスプレイやプラズマディスプレイ等でなるフラットパネルディスプレイが採用される。また、上記信号処理部３４は、入力されたデジタル音声信号に所定の信号処理を施し、アナログ化して上記スピーカ１５に出力することにより、音声再生を行なっている。
【００２３】
ここで、このテレビジョン放送受信装置１１は、上記した各種の受信動作を含む種々の動作を制御部３５によって統括的に制御されている。この制御部３５は、ＣＰＵ（central processing unit）等を内蔵したマイクロプロセッサであり、上記操作部１６からの操作情報、または、上記リモートコントローラ１７から送信された操作情報を受光部１８を介して受けることにより、その操作内容が反映されるように各部をそれぞれ制御している。
【００２４】
この場合、制御部３５は、静的な半導体メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。またこのメモリ部３６には、ＳＲＡＭ，ＤＲＡＭなどいずれのタイプの半導体メモリが含まれていてもよい。
【００２５】
ここで、上記制御部３５は、スタンド１３内に収容された動的な記録媒体であるハードディスクを含むＨＤＤユニット２０と接続されている。この場合、制御部３５からＨＤＤユニット２０に電源電力の供給を行なうライン３７は、接続部３８を介して制御部２６とＨＤＤユニット２０とを接続している。制御データのラインも設けられるがここでは省略している。
【００２６】
また、制御部３５とＨＤＤユニット２０との間でデジタル映像及び音声信号を授受するライン３９は、i．Link接続部４０を介して制御部３５とＨＤＤユニット２０とを接続している。すなわち、制御部３５とＨＤＤユニット２０との間でのデジタル映像及び音声信号の伝送は、電源及び制御信号とは別個にi．Linkによって行なわれる。
【００２７】
そして、上記テレビジョン放送受信装置１１は、セレクタ２６で選択されたデジタルの映像及び音声信号を、ＨＤＤユニット２０により記録することができるとともに、ＨＤＤユニット２０に記録されたデジタルの映像及び音声信号を再生し、視聴に供させることができる。
【００２８】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。
【００２９】
またちょっとタイムキー１７ｑ、スキップキー１７ｒも設けられている。このキーの使用方法については、後述する。また、この装置には、省エネルギーのための機能が設けられており、省エネルギーモードにする場合は、省エネキー１７ｓを操作し、例えばメニュー画面などで省エネルギーモードに設定することができる。
【００３０】
ここで、上記のＨＤＤユニット２０を含むテレビジョン放送受信装置１１は、省エネルギーモードに設定することが可能である。省エネルギーモードでは、ＨＤＤユニット２０に対するアクセスが一定時間（例えば１５分間）無い場合には、ＨＤＤユニット２０がスリープモードに移行して、省エネルギーを図ると言うものである。ＨＤＤユニット２０は、通常（省エネルギーモードが設定されていないとき）は、常時アイドリング状態にある。なお上記の１５分間は、ユーザが任意に変えられるようにしてもよいし、また、装置の設計時に１５分間を変更してもよい。
【００３１】
さらに上記のテレビジョン放送受信装置１１は、ちょっとタイム機能を持つ。ここでちょっとタイム機能について説明する。
【００３２】
ちょっとタイム機能が働くときは、記録媒体として例えばＨＤＤユニット２０が利用され、所定の使用容量、又は一定の記録時間分（例えば６時間）の容量が確保される。ユーザがテレビジョン放送受信装置１１を視聴している途中で、一時中座するために、リモートコントローラ１７のちょっとタイムキー１７ｇを押すことで、ちょっとタイム機能が動作開始する。このとき画面では、オンエアーの動画が維持されるが、「ちょっとタイム」というコメントとともに設定メニューが現れる。ここで、「省エネルギーモード」の設定を行なうことができる。
【００３３】
次に画面は、オンエアーの動画が維持された状態となり、かつ画面では、「ちょっとタイム準備中」というコメントが現れる。次に画面は、「ちょっとタイム録画開始」というコメントが現れる。視聴者は、「ちょっとタイム録画開始」というコメントを見たとき、ちょっとタイム録画が開始されたことを認識することができる。
【００３４】
一定時間の経過の後、視聴者が、装置のある場所に戻ってちょっとタイムキー１７ｑを押すと、装置では、録画は相変わらず続行される。そして、一時保存録画を開始したポジションに、再生開始位置が戻される。つまり、追っかけ再生の準備に移行する。
【００３５】
次に、装置は、ちょっとタイム録画した映像の追っかけ再生状態に移行する。なお追っかけ再生とは、リアルタイムで放送されている映像を録画するとともに、既に録画している内容を再生することを言う。
【００３６】
追っかけ再生のときに、ちょっとタイムスキップキー１７ｒを操作してもよい。この場合は、再生位置をスキップさせることができる。例えば、コマーシャルなどの映像、あるは、視聴者が興味ない映像のシーンでは、ちょっとタイムスキップキー１７ｒを操作してスキップさせることもできる。ちょっとタイムスキップキー１７ｒの操作により、オンエアーの画面に追いついた場合、一時保存録画処理（ループ録画処理）を終了する。
【００３７】
図４には、上記の省エネルギーモードの設定とちょっとタイム録画機能とが相互に関連していることを示すフローチャートである。
【００３８】
設定メニューをチェックし、省エネルギーモードに設定されているかどうかのチェックが行なわれる（ステップＳ１１、Ｓ１２）。省エネルギーモードが設定されていない場合には、デフォルトとしてＨＤＤユニット２０は常時アイドリングモードとされる（ステップＳ１３）。ここでちょっとタイムキー１７ｇが押されると（ステップＳ１４）、ＨＤＤユニット２０における録画動作が可能となる（ステップＳ１５）。そして録画停止或いは終了の指令が制御部５６に入力されると、ＨＤＤユニット２０における録画が停止する（ステップＳ１６）。
【００３９】
省エネルギーモードに設定されている場合は、ＨＤＤユニット２０に対して、例えば１５分間の間にアクセスがあったかどうかをチェックする（ステップＳ２１，Ｓ２２）。アクセスが有った場合には、アクセスにより指令された内容に応じた処理が実行される（ステップＳ２３）。
【００４０】
しかしアクセスが無い場合には、ＨＤＤユニット２０は、アイドリング状態からスリープモードに移行する（ステップＳ２２、Ｓ２４）。
【００４１】
このような状態で、ちょっとタイムキー１７ｇの操作が行われると、ＨＤＤユニット２０はスリープモードからアイドリングモードに設定される（ステップＳ２６）。また同時に信号処理部（例えば図１の信号処理部３４）からの出力された処理信号がメモリ（例えば図１のメモリ部３６）に記録開始される。ＨＤＤユニット２０がアイドリングモードに切換えられた後、安定して録画可能となるまでにはある程度の時間がかかる。そこで、ＨＤＤユニット２０の動作は安定し、録画準備が完了したかどうかの判定が行なわれる（ステップＳ２８）。ＨＤＤユニット２０の録画準備が完了したら、メモリからＨＤＤユニット２０へのデータ転送が開始される（ステップＳ２９）。そしてメモリから転送されたデータが、ＨＤＤユニット２０において記録される（ステップＳ１５）。
【００４２】
上記のように、ＨＤＤユニット２０がスリープモードからアイドリングモードに切換わったときは、ＨＤＤユニット２０の記録動作は、メモリからのデータの記録動作を継続することになる。
【００４３】
これは、信号処理部３４から記録のために出力されるデータは、例えば圧縮データ（例えばＭＰＥＧシステムにより圧縮されたデータ）である。ゆえに、圧縮データの場合は、ＨＤＤユニット２０の準備ができたからといって、すぐに、メモリへのデータ供給を、ＨＤＤユニット２０側に切換えると、記録されたデータに途切れが生じるからである。
【００４４】
上記の処理は、図１における制御部３５において実行される。その構成例を示すと図５に示すようになる。
【００４５】
図５において、処理信号を出力する信号処理部３４からの圧縮データは、セレクタ３５ｓを介してＨＤＤユニット２０或いはメモリ部３６のいずれかに入力することができる。またメモリ部３６からの読出しデータは、スイッチ３５ｔを介してＨＤＤユニット２０に入力することができる。セレクタ３５ｓ、スイッチ３５ｔは、制御部３５により制御される。制御部３５は、上記のデータの流れを制御するための記録信号の方向切換え部３５ａを含む。また第１の記録媒体（ここでは、静的な記録媒体であるメモリ部３６を意味する）をアクセス対称とするときに、メモリ部３６のアクティブ状態を設定し、記録又は読出し、又は記録及び読み出しを実行するための第１の記録媒体制御部３５ｂを含む。また同様にまた第２の記録媒体（ここでは、動的な記録媒体であるＨＤＤユニット２０を意味する）をアクセス対称とするときに、ＨＤＤユニット２０のアクティブ状態を設定し、記録又は読出し、又は記録及び読み出しを実行するための第２の記録媒体制御部３５ｃを含む。
【００４６】
さらにまたこの制御部３５は、ＨＤＤユニット２０のアイドリングモードとスリープモードとを切換えるモード切換え部３５ｄを含む。またＨＤＤユニット２０がスリープモードからアイドリングモードに移行したときの安定動作チェック部３５ｅを含む。さらにまた、ユーザの操作に応じて受光部１８から取り込まれる指令信号を解析する指令信号解析部３５ｆを含む。これらの各ブロックの動作は、図４のフローチャートで説明した通りである。
【００４７】
従って、第１の記録媒体制御部３５ｂは、一時保存用の指令信号が与えられたときに、メモリ部３６処理信号の記録を開始させる第１の制御部を形成している。また、第２の記録媒体制御部３５ｃは、一時保存用の指令信号が与えられたときに、前記第２の記録媒体の駆動装置を起動する第２の制御部を構成している。また、
安定動作チェック部３５ｅ、モード切換え部３５ｄは、ＨＤＤユニット２０の動作が安定したしたときに、メモリ部３６に記録されている信号を読出し、この読出し信号を前記ＨＤＤユニット２０のハードディスクに記録する第３の制御部を形成している。
【００４８】
なお、図２では、テレビジョン放送受信装置１１の信号処理系を、キャビネット１２とスタンド１３とに分割して記載したが、信号処理系としては、キャビネット１２とスタンド１３とを特に区別して記載する必要はなく、図６に示すように、テレビジョン放送受信装置１１がＨＤＤユニット２０を内蔵しているというように等価的に記載することができる。
【００４９】
また、上記の説明ではＨＤＤユニット２０に対する省エネルギー対策について説明した。しかしＨＤＤユニット２０に対するものに限らず、デジタルバーサタイルディスク（ＤＶＤ）装置２０ａが省エネルギー対策の対称であってもよい。
【００５０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００５１】
１１…テレビジョン放送受信装置、１２…キャビネット、１３…スタンド、１４…映像表示器、１５…スピーカ、１６…操作部、１７…リモートコントローラ、１８…受光部、１９…支持部材、２０…ＨＤＤユニット、２１…操作子、２２…アンテナ、２３…入力端子、２４…チューナ部、２５…デコーダ部、２６…セレクタ、２７…アンテナ、２８…入力端子、２９…チューナ部、３０…Ａ／D変換部、３１…入力端子、３２…Ａ／Ｄ変換部、３３…入力端子、３４…信号処理部、３５…制御部、３６…メモリ部、３７…ライン、３８…接続部、３９…ライン、４０…i．Link接続部。
【図１】
2010198725.tif 000003
【図２】
2010198725.tif 000004
【図３】
2010198725.tif 000005
【図４】
2010198725.tif 000006
【図５】
2010198725.tif 000007
【図６】
2010198725.tif 000008